(57)【特許請求の範囲】
【請求項１】
基盤に立設した筒状の支柱の上端が保持部材の下部に形成された内腔に挿着され、該保持部材の上部に形成された内腔に小径支柱を挿着することにより該小径支柱の上端に固設した表示部材の高さを調節自在にしたポップスタンドにおいて、
弾性部材から成る前記保持部材の上部を上端から縦方向に分割して互いに隙間を有する少なくとも二片の弾性片を形成すると共に、該隙間の下端は、該隙間の横幅を両側に広げた隙間を形成し、前記夫々の弾性片の上部外周に環状溝を形成し、
該環状溝にリングバネを嵌合することにより該夫々の弾性片を互いに内方に押圧して前記保持部材の上部に形成された内腔に挿着した前記小径支柱を前記リングバネで弾性的に圧接するようにした、ことを特徴とするポップスタンド。 
【請求項２】
前記保持部材の上部を上端から縦方向に二分割して互いに隙間を有する二片の弾性片を形成した、ことを特徴とする請求項１記載のポップスタンド。 
【発明の詳細な説明】
【０００１】
【発明の属する技術分野】
本発明は、商店等において商品名や価格等の表示板を高さ調節自在のスタンドに立てて表示するようにしたポップスタンドに関するものである。
【０００２】
【従来の技術】
従来、商店等においては、商品名や価格等を表示板に記載して立設するようにしたポップスタンドが設けられている。
【０００３】
その従来例を図５に示すと、この図のポップスタンドは、基盤２０に立設した支柱２１の上端に内周２２ａを有する保持部材２２を固定し、該保持部材２２の内周２２ａに小径支柱２３を挿着し、さらにこの小径支柱２３の上端に表示部材２４を固設した構成とされ、表示部材２４は保持部材２２の内周２２ａが小径支柱２３を圧接する摩擦力により一定の高さに保持され、小径支柱２３を保持部材２２の内周２２ａの摩擦力に抗して摺動することにより高さ調節を行うようにしている。
【０００４】
【発明が解決しようとする課題】
ところが、このような従来のポップスタンドにおいて、小径支柱２３を一定の高さに保持する力は、上記のように小径支柱２３に対する保持部材２２の摩擦力であり、保持部材２２の内周２２ａが経時的に摩耗すると、小径支柱２３を保持する力が弱くなって、小径支柱２３を定位置で保持することができなくなり、表示部材２４を所望の高さに保てなくなるという欠点があった。
【０００５】
本発明は、このような欠点を解消するために成されたもので、商店等において商品名や価格等を記載した表示部材をスタンドに立てて表示するようにしたポップスタンドにおいて、表示部材を所望の高さに保持するための保持力を経時的に劣化させることなく、高さ調節を容易に行うことができるようにしたポップスタンドを提供することを目的とする。
【０００６】
【課題を解決するための手段】
上記の目的を達成するために、本発明の請求項１記載のポップスタンドは、基盤に立設した筒状の支柱の上端が保持部材の下部に形成された内腔に挿着され、該保持部材の上部に形成された内腔に小径支柱を挿着することにより該小径支柱の上端に固設した表示部材の高さを調節自在にしたポップスタンドにおいて、弾性部材から成る前記保持部材の上部を上端から縦方向に分割して互いに隙間を有する少なくとも二片の弾性片を形成すると共に、該隙間の下端は、該隙間の横幅を両側に広げた隙間を形成し、前記夫々の弾性片の上部外周に環状溝を形成し、該環状溝にリングバネを嵌合することにより該夫々の弾性片を互いに内方に押圧して前記保持部材の上部に形成された内腔に挿着した前記小径支柱を前記リングバネで弾性的に圧接するようにした、ことを特徴とする。
【０００７】
また、本発明の請求項２記載のポップスタンドは、前記保持部材の上部を上端から縦方向に二分割して互いに隙間を有する二片の弾性片を形成した、ことを特徴とする。
【０００９】
【発明の実施の形態】
以下、本発明の実施例について図面を参照しながら説明する。
【００１０】
図１は本発明によるポップスタンドの全体正面図である。図２は本発明によるポップスタンドの保持部材の上面図である。図３(a) 及び(b) は本発明によるポップスタンドの保持部材の側面を見る方向を変えて示した図面である。図４は本発明によるポップスタンドの保持部材の縦断面状況を示し、これに小径支柱と筒状支柱を装着する状況を示す図面である。
【００１１】
本実施例のポップスタンドは、図１に示すように、基盤１の中央又は不図示の他の箇所に立設した筒状の支柱２の上端に内腔を有する保持部材３を固定し、該保持部材３の内腔に小径支柱４を挿着し、さらに小径支柱４の上端には表示部材５を固設してある。
【００１２】
この表示部材５は、例えば矩形を成すプラスチックフレーム６に図１の点線６ａに沿って上方を解放した溝６ａを形成することにより、上方の解放部からポップ紙７を取出し自在に挿入するようにしている。
【００１３】
なお、この表示部材５としては図示のものに限らず、小径支柱４の上端に結合した水平棒部材にクリップを設けたタイプ、或はカードを挟持するようにしたタイプ等、種々の形態を使用することができる。
【００１４】
そして、図２及び図３(a) 又は(b) に示すように、弾性部材から成る保持部材３の上部を上端から縦方向に二分割して互いに隙間８を有する二片の円弧状の弾性片９、９に形成すると共に、これらの弾性片９、９の外周にＣ形のリングバネ１０を嵌合することにより各弾性片９を互いに内方に押圧して保持部材３の内腔に挿着した小径支柱４をリングバネ１０で弾性的に圧接するようにしている。
【００１５】
上記の保持部材３をより詳細に説明すると、図４に示すように、例えば弾性プラスチック等から成る円筒状の保持部材３の下部の内腔３ａは支柱２を挿着し得る内径に形成すると共に、上部の内腔３ｂは小径支柱４を挿着し得る内径に形成し、該保持部材３の上部を上端から縦方向に二分割して互いに隙間８を有する二片の円弧状の弾性片９を形成し、両側の隙間８の下端は横幅を両側に広げた隙間１１とすることにより、二片の弾性片９、９を互いに内方に弾性的に屈曲し、且つ復帰し易くしてある。
【００１６】
また、二片の弾性片９、９の上端内周は曲面状の縁取り１２が施されると共に、小径支柱４は下端縁４ａを縁取りしてあり、この小径支柱４の下端から保持部材３の上部の内腔３ｂ内に挿入し易くしている。
【００１７】
また、二片の弾性片９の上部外周には環状溝１３が形成され、この環状溝１３にリングバネ１０を嵌合することにより、二片の弾性片９に弾性力を付与するようにしている。
【００１８】
このような保持部材３の内腔３ｂに上記の二片の弾性片９、９の内径よりもやや大径の小径支柱４を挿入すると、小径支柱４がリングバネ１０と二片の弾性片９、９の弾性力に抗してこれら二片の弾性片９、９の内径を広げながら挿入されると共に、リングバネ１０と二片の弾性片９、９の弾性力によって小径支柱４は任意位置で圧接され、挿入を止めた位置で停止状態を保つことができる。
【００１９】
従って、保持部材３の内腔３ｂ（二片の弾性片９の内周）が摩耗して、該保持部材３の内径を拡大するようなことがあっても、リングバネ１０と二片の弾性片９、９の弾性力は経年的に保持され、小径部材４を定位置の高さで保持することが可能となる。
【００２０】
なお、図３(b) に示すように、リングバネ１０は上記のようにＣ形を成し、途中に切断された間隙１０ａを有することにより径の拡大及び縮小を弾性的に行うことができる。このリングバネ１０の太さ又は使用する弾性部材の材質等を変えることにより、該リングバネ１０による保持部材３の上部外周に対する締付力を調整することができる。
【００２１】
また、上記の保持部材３の上部には、二分割によらず三分割又はそれ以上の縦割りによって複数の弾性片９を形成するようにしてもよい。
【００２２】
【発明の効果】
以上説明したように、本発明のポップスタンドは、弾性部材から成る保持部材の上部を上端から縦方向に分割して互いに隙間を有する少なくとも二片の弾性片に形成すると共に、これらの弾性片の外周にリングバネを嵌合することにより各弾性片を互いに内方に押圧して前記保持部材の内腔に挿着した小径支柱をリングバネで弾性的に圧接するようにしてあるため、保持部材の内壁の摩耗にかかわらず、小径支柱を保持する圧接力を経時的に保つことができ、長期間の使用によっても表示部材の高さ調節を良好に行うことが可能である。
【図面の簡単な説明】
【図１】図１は本発明によるポップスタンドの全体正面図である。
【図２】図２は本発明によるポップスタンドの保持部材の上面図である。
【図３】図３(a) 及び(b) は本発明によるポップスタンドの保持部材の側面を見る方向を変えて示した図面である。
【図４】図４は本発明によるポップスタンドの保持部材の縦断面状況を示し、これに小径支柱４と筒状支柱を装着する状況を示す図面である。
【図５】図５は従来のポップスタンドの部分正面図である。
【符号の説明】
１…基盤
２…支柱
３…保持部材
４…小径支柱
５…表示部材
６…プラスチックフレーム
７…ポップ紙
８…隙間
９…弾性片
１０…リングバネ
１１…下端の隙間
１２…縁取り
１３…環状溝
【図１】
0003845808.tif 000002
【図２】
0003845808.tif 000003
【図３】
0003845808.tif 000004
【図４】
0003845808.tif 000005
【図５】
0003845808.tif 000006